(57)【要約】【課題】この発明は、簡便にして容易な取扱い操作を実現し得、且つ、屋外での安全な使用を実現し得るようにすることにある。【解決手段】電子機器１１が嵌装される嵌装部１０２、電子機器１１の表示部１１１と操作部１１２が視認可能で、且つ、操作可能に対向される第１の領域１０３、及び電子機器１１の外部接続部１１３を接続可能に露呈する開口１０１が設けられたケース本体１０に対して、その開口１０１を閉塞するように、電子機器１１の外部接続部１１３に接続される接続ケーブル１３が挿通される挿通孔１２２を有するベース部１２を合体し、上記電子機器１１と電気的に接続される接続ケーブル１３を、ベース部１２の挿通孔１２２に挿通させて外部に延出させて、この接続ケーブル１３と挿通孔１２２との間を封止するように構成した。【選択図】    図１
2004165496.tif 000002
【特許請求の範囲】
【請求項１】
周壁部に表示部、操作部及び外部接続部が設けられた電子機器と、
この電子機器が嵌装される嵌装部、前記表示部と前記操作部が視認可能で、且つ、操作可能な視認操作領域、及び前記外部接続部を接続可能に露呈する開口が設けられたケース本体と、
このケース本体の嵌合部に前記電子機器が嵌装された状態で、該ケース本体に対して前記開口を閉塞して合体されるものであって、前記外部接続部に接続される接続ケーブルが挿通される挿通孔を有するベース部と、
前記接続ケーブルを前記ベース部の挿通孔に挿通させた状態で、該接続ケーブルと前記挿通孔との間を封止するシール機構と
を具備したことを特徴とする電子機器収納ケース。
【請求項２】
前記ケース本体には、周壁に補強部が設けられることを特徴とする請求項１記載の電子機器収納ケース。
【請求項３】
前記視認操作領域は、前記ケース本体と別体に形成されて接合されて設けられることを特徴とする請求項１又は２記載の電子機器収納ケース。
【請求項４】
前記ケース本体及び前記ベース部は、一方に弾性係合部を形成して、他方に係合溝を形成し、前記弾性係合部を前記係合溝に弾性係合させて合体されることを特徴とする請求項１乃至３のいずれか記載の電子機器収納ケース。
【請求項５】
さらに前記弾性係合部を前記係合溝に弾性係合させた状態で、相互間を係合方向に圧接する弾性部材を備えることを特徴とする請求項４記載の電子機器収納ケース。
【発明の詳細な説明】
【０００１】
【発明の属する技術分野】
この発明は、例えば携帯型情報機器等の携帯に好適する電子機器を収納するのに用いられる電子機器収納ケースに関する。
【０００２】
【従来の技術】
一般に、携帯型の電子機器を携帯する手段として、安全を考慮して電子機器を収納ケースに収納して携帯する方法が採られている。このような電子機器を収納する収納ケースとしては、折畳み自在な蓋を形成する余長部を形成した挿着用の開口をケース本体に設け、この開口より電子機器をケース本体に収容し、その収容状態において、その余長部を折畳んでケース本体の開口を閉塞して収納する構成のものが知られている（特許文献１参照）。
【０００３】
そして、この電子機器の収納ケースは、そのケース本体の余長部の一部を変更調整することにより、防水機能を持つ使用形態と、ケース本体に収納した状態で、電子機器に接続ケーブルを接続して電子機器の使用を可能とする使用形態に切り替えられる。
【０００４】
しかしながら、上記電子機器収納ケースでは、その電子機器を収納した携帯時と、電子機器の使用時に応じてケース本体の一部を変更調整しなければならないために、その取扱いが面倒であるという不都合を有する。
【０００５】
また、これによると、電子機器を屋外で使用する場合、例えば雨等が降って来て、雨が直接的に当たったりすると、雨がケース本体内に侵入して、ケース本体内の電子機器を濡らす虞を有する。このため、屋外での使用時において、天候等により、使用することが困難となるという不都合を有する。
【０００６】
係る事情は、例えば携帯型情報機器等の携帯して外で使用する電子機器にあっては、重大な課題の一つとなっている。
【０００７】
【特許文献１】
特開２００２―２８０７５３号公報（図１〜図１３）
【０００８】
【発明が解決しようとする課題】
以上述べたように、従来の電子機器収納ケースでは、屋外での使用時に、雨等が降ると、使用が困難で、使い勝手が劣るという問題を有する。
【０００９】
この発明は上記の事情に鑑みてなされたもので、簡便にして容易な取扱い操作を実現し得、且つ、屋外での安全な使用を実現し得るようにした電子機器収納ケースを提供することを目的とする。
【００１０】
【課題を解決するための手段】
この発明は、周壁部に表示部、操作部及び外部接続部が設けられた電子機器と、この電子機器が嵌装される嵌装部、前記表示部と前記操作部が視認可能で、且つ、操作可能な視認操作領域、及び前記外部接続部を接続可能に露呈する開口が設けられたケース本体と、このケース本体の嵌合部に前記電子機器が嵌装された状態で、該ケース本体に対して前記開口を閉塞して合体されるものであって、前記外部接続部に接続される接続ケーブルが挿通される挿通孔を有するベース部と、前記接続ケーブルを前記ベース部の挿通孔に挿通させた状態で、該接続ケーブルと前記挿通孔との間を封止するシール機構とを備えて電子機器収納ケースを構成した。
【００１１】
上記構成によれば、ケース本体の嵌装部に嵌装された電子機器は、その外部接続部に該ケース本体の開口を閉塞して該ケース本体に合体されるベース部の挿通孔に挿通された接続ケーブルが接続された状態で、その開口を閉塞するようにベース部が合体されて収納される。従って、電子機器は、ケース本体及びベース部により、落下等による損傷の防止が図れ、しかも、雨等による水の侵入の防止が実現されて、屋外においても、信頼性の高い安全な使用が実現される。
【００１２】
また、この発明は、前記ケース本体の周壁に補強部を設けて構成した。これによれば、ケース本体の堅牢化が促進されて破損防止が図れ、電子機器の信頼性の高い確実な保護が可能となる。
【００１３】
また、この発明は、前記視認操作領域を、前記ケース本体と別体に形成して接合して設けるように構成した。これによれば、ケース本体の成形の簡略化を図ることが可能となる。
【００１４】
また、この発明は、前記ケース本体及び前記ベース部の一方に弾性係合部を形成して、他方に係合溝を形成し、この弾性係合部を係合溝に弾性係合させて相互を合体させるように構成した。
【００１５】
上記構成によれば、ケース本体とベース部との合体、分離を容易にして、確実に行うことが可能となり、その取扱い性の向上を図ることが可能となる。
【００１６】
また、この発明は、前記弾性係合部を係合溝に弾性係合させてケース本体とベース部を合体させた状態で、相互間を係合方向に圧接する弾性部材を備えて構成した。
【００１７】
上記構成によれば、ケース本体とベース部との合体状態において、外部からの衝撃を受けても、弾性部材の作用により、相互の分離が確実に防止されて信頼性の高い確実な収納が可能となる。
【００１８】
【発明の実施の形態】
以下、この発明の実施の形態について、図面を参照して詳細に説明する。
【００１９】
図１は、この発明の一実施の形態に係る電子機器収納ケースを示すもので、ケース本体１０は、シリコン等の樹脂材料で略箱状に形成されて、その一方面に機器出し入れ用の開口１０１が形成される。そして、このケース本体１０の内部には、開口１０１に連続して嵌装部１０２が電子機器１１の外形形状に対応して形成される。
【００２０】
この電子機器１１は、例えば携帯型情報機器等の携帯型電子機器で構成され、携帯して必要に応じて使用可能に構成される。即ち、電子機器１１には、その周壁の所望の位置に表示部１１１、操作部１１２及び外部接続部１１３が設けられ、所望の場所に携帯して、その操作部１１２の操作により、例えば情報機器として機能される。
【００２１】
上記ケース本体１０には、図２に示すようにその開口１０１と直交する一方の壁面に視認操作領域を構成する第１の領域１０３及び第２の領域１０６が上記電子機器１１の表示部１１１及び操作部１１２に対向して設けられる。このうち第１の領域１０３は、図２に示すように視認可能な透明あるいは半透明で、しかも、外部操作可能に、例えばフィルム状に形成される。この第１の領域１０３は、例えばケース本体１０と一体的に形成したり、あるいはケース本体１０に透過窓を形成して、この透過窓に、例えば樹脂材料で別体に形成したフィルム材を接着等により密閉構造に接合して形成される。
【００２２】
他方の第２の領域１０４は、例えばケース本体１０と同材料で一体的に形成され、電子機器１１がケース本体１０の嵌装部１０２に嵌装されると、該電子機器１１の操作部１１１が操作可能に位置される。
【００２３】
また、この第１の領域１０３及び第２の領域１０６は、電子機器１１の表示部１１１及び操作部１１２に対向される部分を異なる色に形成することにより、その使用環境が見えにくいような場合においても、電子機器１１の信頼性の高い確実な使用を実現することが可能となる。
【００２４】
上記電子機器１１は、その外部接続部１１３と逆側の側面側がケース本体１０の開口１０１に挿入されて、嵌装部１０２に嵌装される。ここで、電子機器１１は、その外部接続部１１３がケース本体１０の開口１０１に位置され、その表示部１１１及び操作部１１２がケース本体１０の第１の領域１０３及び第２の領域１０６に対向されてケース本体１０の嵌装部１０２に位置決めされる。
【００２５】
この状態で、電子機器１１は、その表示部１１１がケース本体１０の第１の領域１０３を通して視認され、例えばタッチパネル構造の場合には、第１の領域１０３上よりタッチ操作が行われる。同時に、操作部１１２は、ケース本体１０の第２の領域１０６上からの操作が可能となる。
【００２６】
また、上記ケース本体１０には、その開口１０１を閉塞するようにベース部１２が着脱自在に合体される。このうちケース本体１０には、その開口１０１の内周壁に、例えば２本の合体用の係合溝１０４が所定の間隔を有して形成される。
【００２７】
他方のベース部１２は、例えば図３に示すようにシリコン等の樹脂材料で有底筒状に形成され、その開口側の外周壁に２本の弾性係合部１２１が上記ケース本体１０の係合溝１０４に対向して突設される。このベース部１２は、矢印Ａ方向に挿入されると、その弾性係合部１２１が弾性変形してケース本体１０の係合溝１０４に挿入される。ここで、ベース部１２は、ケース本体１０の開口１０１を閉塞するように該ケース本体１０に合体される。これにより、ケース本体１０の嵌装部１０２に嵌装された電子機器１１は、その周壁がケース本体１０及びベース部１２に覆われて収納される。
【００２８】
そして、上記ケース本体１０に合体されたベース部１２は、ケース本体１０に対して矢印Ｂ方向に引き抜かれると、その弾性係合部１２１が弾性変形してケース本体１０の係合溝１０４から離脱され、該ケース本体１０から分離される。
【００２９】
また、ベース部１２の底面には、シール機構を構成する挿通孔１２２が上記電子機器１１の外部接続部１１３に対向して設けられる（図３参照）。そして、このベース部１２には、その外周壁と挿通孔１２２との間を連通するスリット１２３が設けられ、このスリット１２３に沿って矢印方向に二つに分割可能に形成される。して出入り可能とした、いわゆる摺り割り構造に形成される。
【００３０】
これにより、ベース部１２は、その弾性力に抗してスリット１２３に沿って矢印方向に回動付勢して二つに割りされると、その二つ割りの略中央部に挿通孔１２２が、略線状に露出され、その外部側より該挿通孔１２２に沿って図示しない外部機器に接続された接続ケーブル１３が挿入可能となる。そして、この挿通部に接続ケーブル１３を収容して、ベース部１２は、その挿通孔１２２を中心として、スリット１２３に沿って反転付勢する。これにより、接続ケーブル１３は、ベース部１２の挿通孔１２２に沿って収容される。ここで、ベース部１２は、その挿通孔１２２に収容された接続ケーブル１３の周囲に圧接されて、該接続ケーブル１３との間が封止される。
【００３１】
なお、上記ベース部１２は、その挿通孔１２２に接続ケーブル１３を収容した状態で、例えばスリット１２３に、接着剤を塗布して接着するように構成してもよい。これによれば、さらに封止の確実化が図れて、ベース部１２と接続ケーブル１３との間の確実な防水が可能となる。
【００３２】
また、ベース部１２の挿通孔１２２に挿通された接続ケーブル１３は、ベース部１２を、矢印Ａ方向に挿入してケース本体１０に合体させる際、そのコネクタ１３１が、ケース本体１０の嵌装部１０２に嵌装された電子機器１１の外部接続部１１３に接続される。
【００３３】
さらに、上記ベース部１２には、位置決め部１２４が設けられる。この位置決め部１２４は、ケース本体１０の開口１０１にベース部１２が合体された状態で、ケース本体１０の嵌装部１０２に嵌装された電子機器１１の端部が載置される共に、その挿通孔１２２に収容された接続ケーブル１３のコネクタ１３１が当接される。これにより、位置決め部１２４は、ケース本体１０及びベース部１２内に収容された電子機器１１及び接続コネクタ１３のコネクタ１３１の位置決めを実行する。
【００３４】
また、上記ケース本体１０の開口１０１を閉塞するように合体されたベース部１２の外周部には、ゴム等のリング状の弾性部材１４がその弾性力を利用して巻掛けられる。この弾性部材１４は、その弾性力でベース部１２の弾性係合部１２１をケース本体１０の係合溝１０４に圧接して、弾性係合部１２１の係合溝１０４からの離脱を規制してケース本体１０からのベース部１２の離脱を防止すると共に、相互間の気密性を高める。
【００３５】
そして、上記ケース本体１０には、例えば図示しない表示が、収納される電子機器１１の表示部１１１及び操作部１１２に対応して設けられる。これにより、ケース本体１０は、例えば見えに屋外環境においても、その表示（図示せず）を確認することことで、第１の領域１０３及び第２の領域１０６上から電子機器１１の表示部１１１及び操作部１１２の正確な位置の把握が容易に可能となり、所望の操作を確実に行うことができる。
【００３６】
ここで、上記電子機器１１を、ケース本体１０及びベース部１２内に収納する手順について、図４を参照して説明する。
【００３７】
先ず、ステップＳ１において、ケース本体１０の開口１０１より電子機器１１を挿入し、該電子機器１１をケース本体１０の嵌装部１０２に嵌装させてケース本体１０内に収容する。ここで、電子機器１１は、ケース本体１０の嵌装部１０２により位置決めされて、その表示部１１１及び操作部１１２がケース本体１０の第１の領域１０３に対向されて、その外部接続部１１３がケース本体１０の開口１０１に配される。
【００３８】
そして、ステップＳ２においては、ベース部１２を、その弾性力に抗してスリット１２３より挿通孔１２２を略中心として二つに割り、その挿通孔１２２に外部接続用の接続ケーブル１３を収容する。ここで、ベース部１２は、その挿通孔１２２より反転させて接続ケーブル１３をベース部１２の挿通孔１２２に挿通させる。
【００３９】
次に、ステップＳ３では、先ず、ベース部１２の挿通孔１２２に挿通した接続ケーブル１３のコネクタ１３１をケース本体１０の電子機器１１の外部接続部１１３に接続する。続いて、ベース部１２は、ケース本体１０の開口１０１側より、矢印Ａ方向に挿入される。
【００４０】
ここで、ベース部１２は、その弾性係合部１２１が弾性変形してケース本体１０の係合溝１０４に挿入され、ケース本体１０の開口１０１を閉塞するように該ケース本体１０に合体される。これにより、ケース本体１０の嵌装部１０２に嵌装された電子機器１１は、その周壁がケース本体１０及びベース部１２に覆われて収納される。
【００４１】
次に、このケース本体１０に合体したベース部１２の周囲には、弾性部材１４が、その弾性を利用して巻掛けられる。ここで、ケース本体１０及びベース部１２は、相互間が弾性部材１４の弾性力により圧接されて位置決めされ、合体が完了される。
【００４２】
この合体状態において、ケース本体１０及びベース部１２内に収納された電子機器１１は、例えば屋外で使用していて雨が降ってきたような場合においても、その周囲がケース本体１０及びベース部１２内に密閉収容される。これにより、電子機器１１は、雨に濡れたりすることなく、その表示部１１１の視認及び操作部１１２の操作が、ケース本体１０の第１の領域１０３及び第２の領域１０６上から直接的に行うことができる。
【００４３】
また、この電子機器１１は、ケース本体１０及びベース部１２に覆われて保護されていることにより、例えば屋外における使用時に、石等の硬いもののうえに落下させてしまったような場合においても、該ケース本体１０及びベース部１２により保護されて、その損傷が防止される。
【００４４】
この際、ベース部１２の挿通孔１２２より延出される接続ケーブル１３は、その周壁が挿通孔１２２に対して封止される。この結果、屋外で降る雨等の水は、ベース部１２の挿通孔１２２からケース本体１０内に侵入することが、防止される。
【００４５】
また、上記ケース本体１０及びベース部１２内に収納された電子機器１１の電池交換、あるいは記録媒体の着脱操作を含む保守点検等を行う場合には、例えばベース部１２を、ケース本体１０から引き抜く如く矢印Ｂ方向に付勢する。すると、ベース部１２は、その弾性係合部１２１が弾性変形してケース本体１０の係合溝１０４から離脱され、該ケース本体１０から離脱される。
【００４６】
この際、電子機器１１の外部接続部１１３に接続した接続ケーブル１３は、ベース部１２をケース本体１０から取り外す際に電子機器１１の外部接続部１１３より離脱される。
【００４７】
ここで、ケース本体１０の嵌装部１０２に嵌装された電子機器１１は、ケース本体１０の開口１０１より、取り出され、上述した電池交換、記録媒体の着脱操作等の所望の交換・点検作業が実行される。そして、この交換・点検作業が完了した電子機器１１は、再び、ケース本体１０の嵌装部１０２に嵌装されて、このケース本体１０に対してベース部１２を、上述した収納手順で合体させる。ここで、電子機器１１は、再び、ケース本体１０及びベース部１２内に収納され、屋外等における所望の使用に供される。
【００４８】
このように、上記電子機器収納ケースは、電子機器１１が嵌装される嵌装部１０２、電子機器１１の表示部１１１と操作部１１２が視認可能で、且つ、操作可能に対向される第１の領域１０３、及び電子機器１１の外部接続部１１３を接続可能に露呈する開口１０１が設けられたケース本体１０に対して、その開口１０１を閉塞するように、電子機器１１の外部接続部１１３に接続される接続ケーブル１３が挿通される挿通孔１２２を有するベース部１２を合体し、上記電子機器１１と電気的に接続される接続ケーブル１３を、ベース部１２の挿通孔１２２に挿通させて外部に延出させて、この接続ケーブル１３と挿通孔１２２との間を封止するように構成した。
【００４９】
これによれば、ケース本体１０の嵌装部１０２に嵌装された電子機器１１は、その外部接続部１１３に対してケース本体１０の開口１０１を閉塞して該ケース本体１０に合体されるベース部１２の挿通孔１２２に挿通された接続ケーブル１３が接続された状態で、その開口１０１を閉塞するようにベース部１２が合体されて収納される。
【００５０】
従って、電子機器１１は、ケース本体１０及びベース部１２により、落下等による損傷の防止が図れ、しかも、雨等による水の侵入の防止が実現されて、屋外においても、信頼性の高い安全な使用が実現される。
【００５１】
また、これによれば、ケース本体１０及びベース部１２内に収納された電子機器１１を持ち運ぶ場合には、例えば接続ケーブル１２の基端を、上記外部機器（図示せず）より取り外すことで、それ自体の持ち運びも容易に可能となる。
【００５２】
なお、この発明は、上記実施の形態に限ることなく、その他、例えば図５及び図６に示すようにケース本体１０の各角部に突起状の補強部１０５を設けるように構成してもいよい。但し、図５及び図６においては、便宜上、上記図１及び図２と同一部分について、同一符号を付して、その詳細な説明を省略する。
【００５３】
即ち、この補強部１０５としては、その他、例えばケース本体１０の角部に沿ってリブ状に形成したり、あるいはケース本体１０の壁面にリブ状に形成するようにしてもよい。
【００５４】
この実施の形態によれば、ケース本体１０及びベース部１２の堅牢化の促進が図れることにより、例えば厳しい屋外環境において使用したりして、比較的、乱暴な取扱いをして、強い衝撃を受けた場合においても、破損等の損傷を防止することが可能となるため、さらに、電子機器１０の保護の促進が図れて、安全性の向上が図れる。
【００５５】
また、上記各実施の形態では、ベース部１２にスリット１２３を設けて二つ割り形成して、ベース部１２をスリット１２３に沿って挿通孔１２２を略中心として回動させて挿通孔１２２を露出させて接続ケーブル１３をベース部１２の挿通孔１２２に挿入して反転させて封止するように組付けるるように構成した場合で説明したが、これに限ることなく、その他、ベース部１２を複数の分離ベース部で合体自在に形成して、分離ベース部の挿通孔１２２の接続ケーブル１３を収容した状態で、分離ベース部を合体させて接続ケーブル１３を挿通配置するように構成することも可能である。
【００５６】
さらに、上記実施の形態では、合体手段として、ケース本体１０に２本の係合溝１０４を形成して、ベース部１２に２本の弾性係合部１２１を形成し、この係合溝１０４と弾性係合部１２１とを係合させてケース部１０とベース部１２とを合体させるように構成した場合で説明したが、これに限ることなく、例えばケース本体１０に、２本の弾性係合部を形成して、ベース部１２に、２本の係合溝を形成し、これら弾性係合部と係合溝とを係合させてケース本体１０とベース部１２とを合体させるように構成することも可能である。
【００５７】
この合体手段を構成する係合溝及び弾性係合部の数としては、上記２本に限ることなく、その電子機器１１の使用環境等に応じて適宜に設定することが可能である。そして、この合体手段を構成する溝構造としては、上記形状のものに限ることなく、各種の形状のものを用いて構成することが可能である。
【００５８】
また、上記実施の形態では、ケース本体１０に対して視認操作領域を第１の領域１０３及び第２の領域１０６に分けて形成するように構成した場合で説明したが、これに限ることなく、例えば同一領域として形成するように構成することも可能である。
【００５９】
よって、この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００６０】
例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６１】
【発明の効果】
以上詳述したように、この発明によれば、簡便にして容易な取扱い操作を実現し得、且つ、屋外での安全な使用を実現し得るようにした電子機器収納ケースを提供することができる。
【図面の簡単な説明】
【図１】この発明の一実施の形態に係る電子機器収納ケースを上面側から見た状態を示した構成図である。
【図２】図１を側面側から見た状態を示した構成図である。
【図３】図１のベース部を取り出して示した構成図である。
【図４】図１の組立て手順を示したフローチャートである。
【図５】この発明の他の実施の形態に係る電子機器収納ケースを上面側から見た状態を示した構成図である。
【図６】図５を側面側から見た状態を示した構成図である。
【符号の説明】
１０  …  ケース本体
１０１  …  開口
１０２  …  嵌装部
１０３  …  第１の領域
１０４  …  係合溝
１０５  …  補強部
１０６  …  第２の領域
１１  …  電子機器
１１１  …  表示部
１１２  …  操作部
１１３  …  外部接続部
１２  …  ベース部
１２１  …  弾性係合部
１２２  …  挿通孔
１２３  …  スリット
１２４  …  位置決め部
１３  …  接続ケーブル
１３１  …  コネクタ
１４  …  弾性部材
【図１】
2004165496.tif 000003
【図２】
2004165496.tif 000004
【図３】
2004165496.tif 000005
【図４】
2004165496.tif 000006
【図５】
2004165496.tif 000007
【図６】
2004165496.tif 000008